(57)【要約】【課題】十分な輝度を維持しながらも、所定の色度点に対応可能な色再現性を得ることが可能な表示装置を提供する。【解決手段】表示装置を、色度座標における緑色蛍光体の発光に関する緑色色度点と赤色蛍光体の発光に関する赤色色度点とが、色度座標のｘ軸成分及びｙ軸成分の少なくとも一方について（ｘ＝０．３００，ｙ＝０．６００）以上となる点のみを通る仮想直線により結ばれる構成とする。【選択図】図１
2007212900.tif 000002
【特許請求の範囲】
【請求項１】
白色光源と、青色蛍光体と、下記〔化１〕で示される組成による緑色蛍光体と、赤色蛍光体と、緑色カラーフィルタと、赤色カラーフィルタとを含む光源装置を有する表示装置であって、
色度座標における、上記緑色光の出力に関する緑色色度点と、上記赤色光の出力に関する赤色色度点とが、上記色度座標のｘ軸成分及びｙ軸成分の少なくとも一方について（ｘ＝０．３００，ｙ＝０．６００）以上となる点のみを通る仮想直線により結ばれる
ことを特徴とする表示装置。
〔化１〕
ＢａＭｇＡｌ１０Ｏ１７：Ｅｕ，Ｍｎ
【請求項２】
上記赤色蛍光体が、下記〔化２〕で示される組成を有する
ことを特徴とする請求項１に記載の表示装置。
〔化２〕 
Ｙ２Ｏ３：Ｅｕ
【請求項３】
上記赤色蛍光体が、下記〔化３〕または下記〔化４〕で示される組成を有する
ことを特徴とする請求項１に記載の表示装置。
〔化３〕
ＹＶＯ４：Ｅｕ
〔化４〕
Ｙ（Ｖ，Ｐ）Ｏ４：Ｅｕ
【請求項４】
上記光源装置からの光を変調する液晶層を含む光学装置を有し、
上記光源装置を構成する上記白色光源が、冷陰極管である
ことを特徴とする請求項１に記載の表示装置。
【請求項５】
上記緑色蛍光体の出力に関する緑色色度点が、上記青色蛍光体の発光スペクトル形状と、上記緑色カラーフィルタの透過スペクトル形状と、上記赤色カラーフィルタの透過スペクトル形状と、白色光源の白色色度とに基づいて規定された
ことを特徴とする請求項１に記載の表示装置。
【請求項６】
上記白色光源の白色色度が、上記色度座標において（０．２４０５≦ｘ＜０．２４６８，０．１８０２≦ｙ＜０．２１４８）であり、
上記緑色カラーフィルタの透過率が、波長４７５ｎｍにおいて３％以上１１％以下であり、かつ波長５２５ｎｍにおいて６７％以上８０％以下であり、かつ波長６００ｎｍにおいて７％以上２２％以下であり、
上記赤色カラーフィルタの透過率が、波長５８０ｎｍにおいて８％以上３２％以下であり、かつ波長６００ｎｍにおいて６２％以上８１％以下であり、
上記青色蛍光体の発光強度が、該青色蛍光体の最大発光強度に比して、波長４７５ｎｍにおいて２０％以上３０％以下であり、かつ波長５００ｎｍにおいて５％以上８．４％以下である
ことを特徴とする請求項２に記載の表示装置。
【請求項７】
上記白色光源の白色色度が、上記色度座標において（０．２４０５≦ｘ＜０．２４６８，０．１８０２≦ｙ＜０．２１４８）であり、
上記緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、
上記赤色カラーフィルタの透過率が、波長５８０ｎｍにおいて８％以上３２％以下であり、かつ波長６００ｎｍにおいて６２％以上８１％以下であり、
上記青色蛍光体の発光強度が、該青色蛍光体の最大発光強度に比して、波長４７５ｎｍにおいて２０％以上４１％以下であり、かつ波長５００ｎｍにおいて５％以上１１．８％以下である
ことを特徴とする請求項２に記載の表示装置。
【請求項８】
上記白色光源の白色色度が、上記色度座標において（０．２４０５≦ｘ＜０．２４６８，０．１８０２≦ｙ＜０．２１４８）であり、
上記緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、
上記赤色カラーフィルタの透過率が、波長５８０ｎｍにおいて８％以上３２％以下であり、かつ波長６００ｎｍにおいて６２％以上８１％以下であり、
上記青色蛍光体の発光強度が、該青色蛍光体の最大発光強度に比して、波長４７５ｎｍにおいて２０％以上５１％以下であり、かつ波長５００ｎｍにおいて５％以上１５．２％以下である
ことを特徴とする請求項２に記載の表示装置。
【請求項９】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上６．５％以下であり、かつ波長５２５ｎｍにおいて６７％以上７６％以下であり、かつ波長６００ｎｍにおいて７％以上１４％以下であり、
上記赤色カラーフィルタの透過率が、波長５８０ｎｍにおいて１８％以上３２％以下であり、かつ波長６００ｎｍにおいて７２％以上８１％以下であり、
上記青色蛍光体の発光強度が、該青色蛍光体の最大発光強度に比して、波長４７５ｎｍにおいて２０％以上３０％以下であり、かつ波長５００ｎｍにおいて５％以上８．４％以下である
ことを特徴とする請求項３に記載の表示装置。
【請求項１０】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、
上記赤色カラーフィルタの透過率が、波長５８０ｎｍにおいて１８％以上３２％以下であり、かつ波長６００ｎｍにおいて７２％以上８１％以下であり、
上記青色蛍光体の発光強度が、該青色蛍光体の最大発光強度に比して、波長４７５ｎｍにおいて３０％以上３５％以下であり、かつ波長５００ｎｍにおいて８．４％以上１０．１％以下である
ことを特徴とする請求項３に記載の表示装置。
【請求項１１】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、
上記赤色カラーフィルタの透過率が、波長５８０ｎｍにおいて１８％以上３２％以下であり、かつ波長６００ｎｍにおいて７２％以上８１％以下であり、
上記青色蛍光体の発光強度が、該青色蛍光体の最大発光強度に比して、波長４７５ｎｍにおいて３０％以上４１％以下であり、かつ波長５００ｎｍにおいて１０．１％以上１１．８％以下である
ことを特徴とする請求項３に記載の表示装置。
【請求項１２】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上８％以下であり、かつ波長５２５ｎｍにおいて６７％以上７８％以下であり、かつ波長６００ｎｍにおいて７％以上１７％以下であり、
上記赤色カラーフィルタの透過率が、波長５８０ｎｍにおいて１３％以上１８％以下であり、かつ波長６００ｎｍにおいて６６％以上７２％以下であり、
上記青色蛍光体の発光強度が、該青色蛍光体の最大発光強度に比して、波長４７５ｎｍにおいて２０％以上２５％以下であり、かつ波長５００ｎｍにおいて５％以上６．７％以下である
ことを特徴とする請求項３に記載の表示装置。
【請求項１３】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上６．５％以下であり、かつ波長５２５ｎｍにおいて６７％以上７６％以下であり、かつ波長６００ｎｍにおいて７％以上１４％以下であり、
上記赤色カラーフィルタの透過率が、波長５８０ｎｍにおいて１３％以上１８％以下であり、かつ波長６００ｎｍにおいて６６％以上７２％以下であり、
上記青色蛍光体の発光強度が、該青色蛍光体の最大発光強度に比して、波長４７５ｎｍにおいて２５％以上３０％以下であり、かつ波長５００ｎｍにおいて６．７％以上８．４％以下である
ことを特徴とする請求項３に記載の表示装置。
【請求項１４】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、
上記赤色カラーフィルタの透過率が、波長５８０ｎｍにおいて１３％以上１８％以下であり、かつ波長６００ｎｍにおいて６６％以上７２％以下であり、
上記青色蛍光体の発光強度が、該青色蛍光体の最大発光強度に比して、波長４７５ｎｍにおいて３０％以上４１％以下であり、かつ波長５００ｎｍにおいて８．４％以上１１．８％以下である
ことを特徴とする請求項３に記載の表示装置。
【請求項１５】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、
上記赤色カラーフィルタの透過率が、波長５８０ｎｍにおいて１３％以上１８％以下であり、かつ波長６００ｎｍにおいて６６％以上７２％以下であり、
上記青色蛍光体の発光強度が、該青色蛍光体の最大発光強度に比して、波長４７５ｎｍにおいて４１％以上４６％以下であり、かつ波長５００ｎｍにおいて１１．８％以上１３．５％以下である
ことを特徴とする請求項３に記載の表示装置。
【請求項１６】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上１６％以下であり、かつ波長５２５ｎｍにおいて６７％以上８１．５％以下であり、かつ波長６００ｎｍにおいて７％以上２６％以下であり、
上記赤色カラーフィルタの透過率が、波長５８０ｎｍにおいて８％以上１３％以下であり、かつ波長６００ｎｍにおいて６２％以上６６％以下であり、
上記青色蛍光体の発光強度が、該青色蛍光体の最大発光強度に比して、波長４７５ｎｍにおいて２０％以上２５％以下であり、かつ波長５００ｎｍにおいて５％以上６．７％以下である
ことを特徴とする請求項３に記載の表示装置。
【請求項１７】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上１１％以下であり、かつ波長５２５ｎｍにおいて６７％以上８０％以下であり、かつ波長６００ｎｍにおいて７％以上２２％以下であり、
上記赤色カラーフィルタの透過率が、波長５８０ｎｍにおいて８％以上１３％以下であり、かつ波長６００ｎｍにおいて６２％以上６６％以下であり、
上記青色蛍光体の発光強度が、該青色蛍光体の最大発光強度に比して、波長４７５ｎｍにおいて２０％以上３０％以下であり、かつ波長５００ｎｍにおいて６．７％以上８．４％以下である
ことを特徴とする請求項３に記載の表示装置。
【請求項１８】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上６．５％以下であり、かつ波長５２５ｎｍにおいて６７％以上７６％以下であり、かつ波長６００ｎｍにおいて７％以上１４％以下であり、
上記赤色カラーフィルタの透過率が、波長５８０ｎｍにおいて８％以上１３％以下であり、かつ波長６００ｎｍにおいて６２％以上６６％以下であり、
上記青色蛍光体の発光強度が、該青色蛍光体の最大発光強度に比して、波長４７５ｎｍにおいて３０％以上３５％以下であり、かつ波長５００ｎｍにおいて８．４％以上１０．１％以下である
ことを特徴とする請求項３に記載の表示装置。
【請求項１９】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、
上記赤色カラーフィルタの透過率が、波長５８０ｎｍにおいて８％以上１３％以下であり、かつ波長６００ｎｍにおいて６２％以上６６％以下であり、
上記青色蛍光体の発光強度が、該青色蛍光体の最大発光強度に比して、波長４７５ｎｍにおいて３５％以上４１％以下であり、かつ波長５００ｎｍにおいて１０．１％以上１１．８％以下である
ことを特徴とする請求項３に記載の表示装置。
【請求項２０】
上記白色光源の白色色度が、上記色度座標において（０．２３０４≦ｘ＜０．２５２２，０．１８０５≦ｙ＜０．２１４３）であり、
上記緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、
上記赤色カラーフィルタの透過率が、波長５８０ｎｍにおいて８％以上１３％以下であり、かつ波長６００ｎｍにおいて６２％以上６６％以下であり、
上記青色蛍光体の発光強度が、該青色蛍光体の最大発光強度に比して、波長４７５ｎｍにおいて４１％以上４６％以下であり、かつ波長５００ｎｍにおいて１１．８％以上１３．５％以下である
ことを特徴とする請求項３に記載の表示装置。
【発明の詳細な説明】
【技術分野】
【０００１】
本発明は、白色光源を有する表示装置に関する。
【背景技術】
【０００２】
半導体技術の進歩に伴い、所謂ＦＰＤ（Flat Panel Display）と呼称される薄型の表示装置が開発され、広く普及している。
この薄型の表示装置としては、有機ＥＬ（Electro Luminescence；電界発光）ディスプレイやプラズマディスプレイなど、発光原理の異なる様々な種類のものが知られており、研究が進められている。
【０００３】
中でも液晶ディスプレイは、他の種類の表示装置に比べて早期に実用化がなされたため、その普及率も高く、表示特性（画質）に対する要求が強まっている。
液晶ディスプレイに関しては、表示特性の中でも特に色再現性が注目されている。色再現性は、青，緑，赤の各色に対応する発光スペクトルが狭いほど、各色の忠実な色表現とともに向上する（広い色度点を網羅できる）ものであるが、発光中心波長が明視感度の最も高い５５５ｎｍから離れることや、スペクトル幅が狭くなることなどに伴って、輝度の低下を招来してしまう。すなわち、輝度と色再現性は、所謂トレードオフの関係にある。
【０００４】
近年、より高い色再現性を目的として、カバー可能な色度点の増加が図られた表示装置の提案もなされている（例えば特許文献１参照）。しかしながら、前述したように表示装置における色再現性の向上は輝度の低下を伴うことに加え、近年では、カバー可能な色度点を単純に増加させる装置構成よりも、特定の色度点を確実にカバーできる装置構成の方が、有益な構成として求められることが少なくない。
【０００５】
例えば、所謂ｓＲＧＢ規格は、テレビをはじめとする表示装置，デジタルスチルカメラ，プリンタ，モバイル機器など、互いに異なる種類の機器間における色再現性の不揃いを低減ないし解消し、モバイル機器で表現される画像色情報と入出力デバイスの表現する画像色情報とを一致させることによって、それまでメーカーや機器の種類などによって著しく異なっていた色再現性及び色空間の統一（色再現性の整合）を図る統一規格として、１９９９年に国際標準(IEC61966-2-1)として規格化された。しかし、液晶ディスプレイ、特に冷陰極管をバックライトシステムに使用した液晶ディスプレイについては、ｓＲＧＢ規格で定められた特定の色度点、例えば（０．３００，０．６００）の緑色色度点をカバーする色再現性の確保が困難であると考えられている。
【０００６】
現在、冷陰極管（ＣＣＦＬ；Cold Cathode Fluorescent Lamp）バックライトによる液晶ディスプレイに用いられる蛍光体には、青色蛍光体として〔化５〕で示される組成による所謂ＢＡＭ：Ｅｕ、緑色蛍光体として下記〔化６〕で示される組成による所謂ＬＡＰ（ランタンフォスフェイトテルビウム）、赤色蛍光体として〔化７〕で示される組成による所謂ＹＯが、それぞれ挙げられる。
〔化５〕
ＢａＭｇＡｌ１０Ｏ１７：Ｅｕ
〔化６〕
ＬａＰＯ４：Ｃｅ，Ｔｂ
〔化７〕
Ｙ２Ｏ３：Ｅｕ
【０００７】
これらの蛍光体を有して構成される市販の液晶ディスプレイ３種について、緑色の色度点を検証したところ、図９にそれぞれのカバー可能な色度点（範囲）を実線ｌ，破線ｍ，鎖線ｎで示すように、例えばｓＲＧＢ規格で定められた緑色の色度点に最も近接するのは（０．２７８６，０．６０５３），（０．２６３２，０．５９８５），（０．２８０８，０．５８９９）であり、特定の色度点に及ばないことが確認できた。
【０００８】
表示装置におけるこのような問題は、例えば緑色光の出力色度が、緑色光に対応する画素のカラーフィルタに青や赤の光が入ってきた場合に緑色光の色度点が青側や赤側に引っ張られるようにしてずれることにより生じるものである。そしてこの問題は更に、赤，緑，青の蛍光体の発光スペクトルが互いに一部重複していることや、これらのスペクトルと表示装置を構成するカラーフィルタ等との相互関係などによって複雑化しているため、一層その解決が困難であると考えられている。
したがって、十分な輝度を維持しながらも色再現性の向上を図るには、単純に色度点の増加を図るよりも、特定の色度点、例えばｓＲＧＢ規格で求められる緑色の色度点を網羅することが特に好ましいと考えられるが、
【特許文献１】特開2004-163902号公報
【発明の開示】
【発明が解決しようとする課題】
【０００９】
本発明はこのような問題に鑑みてなされたものであって、その目的は、十分な輝度を維持しながらも、所定の色度点に対応可能な色再現性を有する表示装置を提供することにある。
【課題を解決するための手段】
【００１０】
本発明に係る表示装置は、白色光源と、青色蛍光体と、下記〔化８〕で示される組成による緑色蛍光体と、赤色蛍光体と、緑色カラーフィルタと、赤色カラーフィルタとを含む光源装置を有する表示装置であって、色度座標における、上記緑色光の出力に関する緑色色度点と、上記赤色光の出力に関する赤色色度点とが、上記色度座標のｘ軸成分及びｙ軸成分の少なくとも一方について（ｘ＝０．３００，ｙ＝０．６００）以上となる点のみを通る仮想直線により結ばれることを特徴とする。
〔化８〕
ＢａＭｇＡｌ１０Ｏ１７：Ｅｕ，Ｍｎ
【００１１】
なお、本明細書中の各式においては、「：」よりも前の部分を母体とし、後の部分を発光中心とする。発光中心の濃度は、目的とする光学特性（色再現性及び輝度など）に応じて選定されるものであるが、本発明によれば、特に好ましい光学特性を有する蛍光体による表示装置を構成することができる。
【発明の効果】
【００１２】
本発明に係る表示装置によれば、色度座標における緑色光の出力に関する緑色色度点と赤色光の出力に関する赤色色度点とが、色度座標のｘ軸成分及びｙ軸成分の少なくとも一方について（ｘ＝０．３００，ｙ＝０．６００）以上となる点のみを通る仮想直線により結ばれる構成を有することから、十分な輝度を維持しながらも、特定の色度点に対応可能な色再現性を得ることが可能となる。
【発明を実施するための最良の形態】
【００１３】
本発明者らは、赤，緑，青の各色に対応する蛍光体を選定するのみならず、これらの蛍光体と装置を構成するカラーフィルタ（の透過特性）との関係に基づいて、緑色蛍光体の発光に関する緑色色度点を規定することにより、ｓＲＧＢ規格の緑色色度点をカバーすることが可能で優れた光学特性を有する表示装置を提供するに至ったものである。
具体的には、緑色蛍光体として主発光波長５１５ｎｍを有する前述の〔化８〕で示される組成による蛍光体を用いた表示装置について、青色蛍光体の発光（Ｂｌｕｅ  ＰＬ）のスペクトル形状と、緑色カラーフィルタ（ＧＣＦ）の透過スペクトル形状と、赤色カラーフィルタ（ＲＣＦ）の透過スペクトル形状と、白色光源（ＣＣＦＬ）の白色色度とに基づいて緑色蛍光体の色度点が規定された構成による、光学特性に優れた表示装置を提供するに至ったものである。
【００１４】
以下、図面を参照して本発明の実施の形態を説明する。
図１に、本実施形態に係る光源装置を有する表示装置の概略構成図を示す。
本実施形態に係る表示装置１は、光源装置２及び光学装置３を有し、光源装置２の、光学装置３に対向する表面側とは逆の裏面側に、リフレクタ４が設けられて構成される。
本実施形態において、光源装置２は、例えばＣＣＦＬによる多数の白色光源６が、第１蛍光体（例えば赤色蛍光体）と、第２蛍光体（例えば緑色蛍光体）と、第３蛍光体（例えば青色蛍光体）とを表面に塗布されて設けられており、これらの各蛍光体の組成や量（濃度）を選定することにより、白色光源６全体の白色色度が規定されるものである。
本実施形態において、光源装置２の、光学装置３との最近接部には、拡散シート９が設けられている。この拡散シート９は、白色光源６からの光を、光学装置２側へ面状に均一に導くものである。また、必要に応じて、リフレクタ４と同様のリフレクタ５が、導光部７の側面にも設けられる。
【００１５】
一方、光学装置３は、光源装置２に近い側から、偏向板１０と、ＴＦＴ（Thin Film Transistor；薄膜トランジスタ）用のガラス基板１１及びその表面のドット状電極１２と、液晶層１３及びその表裏に被着された配向膜１４と、電極１５と、電極１５上の複数のブラックマトリクス１６と、このブラックマトリクス１６間に設けられる画素に対応した第１（赤色）カラーフィルタ１７ａ，第２（緑色）カラーフィルタ１７ｂ，第３カラーフィルタ１７ｃと、ブラックマトリクス１６及びカラーフィルタ１７ａ〜１７ｃとは離れて設けられるガラス基板１８と、偏向板１９とが、この順に配置されている。
ここで、偏向板１０及び１９は、特定の方向に振動する光を形成するものである。また、ＴＦＴガラス基板１１とドット電極１２及び電極１５は、特定の方向に振動している光のみを透過する液晶層１３をスイッチングするために設けられるものであり、配向膜１４が併せて設けられることにより、液晶層１３内の液晶分子の傾きが一定の方向に揃えられる。また、ブラックマトリクス１６が設けられていることにより、各色に対応するカラーフィルタ１７ａ〜１７ｃから出力される光のコントラストの向上が図られている。これらのブラックマトリクス１６及びカラーフィルタ１７ａ及び１７ｃは、ガラス基板１８に取着される。
【００１６】
本実施形態において、第１蛍光体は、〔化９〕〜〔化１１〕で示される組成による赤色蛍光体により構成される。赤色域の発光を得るためには、第１蛍光体の発光波長帯は、６１０ｎｍ〜６７０ｎｍの少なくとも一部を含むことが好ましい。
なお、〔化１１〕において、Ｖ及びＰは、特性に応じて任意の割合で置き換えることができるものであり、以下の説明ではその一例として、〔化１０〕で示される組成による赤色蛍光体を用いる場合を例として説明する。
〔化９〕
Ｙ２Ｏ３：Ｅｕ
〔化１０〕
ＹＶＯ４：Ｅｕ
〔化１１〕
Ｙ（Ｖ，Ｐ）Ｏ４：Ｅｕ
【００１７】
また、本実施形態において、第２蛍光体は、前述した〔化８〕で示される組成による緑色蛍光体により構成される。緑色域の発光を得るためには、第２蛍光体の発光波長帯は、５１０ｎｍ〜５５０ｎｍの少なくとも一部を含むことが好ましい。
また、本実施形態において、第３蛍光体は、後述する〔化１２〕で示される組成による青色蛍光体により構成される。青色域の発光を得るためには、第３蛍光体の発光波長帯は、４５０ｎｍ〜４６０ｎｍの少なくとも一部を含むことが好ましい。
【００１８】
本実施形態に係る表示装置を構成する赤色蛍光体となり得る、〔化９〕で示される組成による蛍光体と〔化１０〕で示される組成による蛍光体とに関する発光スペクトルを、図２及び図３に示す。なお、〔化１１〕で示される組成による蛍光体は、ＶとＰの比率を変化させても〔化１０〕で示される組成による蛍光体と略同様の発光スペクトルを示すため、図示を省略する。 
また、本実施形態に係る表示装置を構成する緑色蛍光体となる、〔化８〕で示される組成による蛍光体と、本実施形態に係る表示装置を構成する一例の青色蛍光体となる、〔化１２〕で示される組成による蛍光体とに関する発光スペクトルを、図４及び図５に示す。なお、図５の発光スペクトルには４５０ｎｍ付近と５１５ｎｍ付近に発光強度の高い箇所が存在するが、これは蛍光体内で固溶されているＥｕ２＋とＭｎ２＋の濃度や合成手法によって選定されるものであり、図５には代表的と考えられる一例を図示したものである。
〔化１２〕
ＢａＭｇＡｌ１０Ｏ１７：Ｅｕ
【００１９】
このような構成による、本実施形態に係る表示装置においては、後述するように、青色蛍光体の発光スペクトル形状と、緑色カラーフィルタの透過スペクトル形状と、赤色カラーフィルタの透過スペクトル形状と、白色光源（ＣＣＦＬ）の白色色度の４つをそれぞれ複数の段階に変化させてシミュレーションを行い、（つまりパラメータ（変数）として）緑色色度点を得て、これらの関係を検出することにより、特に優れた（例えば前述のｓＲＧＢ規格にも対応可能な）光学特性を有する表示装置を構成することが可能となるものである。
【００２０】
なお、本実施形態に係る表示装置１においては、光源装置２で緑色光及び赤色光を蛍光体材料により得ていることによって、各色を例えばＬＥＤ（Light Emitting Diode）などによって得る場合とは異なり、緑色や赤色の光源自体の発熱による温度消光が生じることなく、温度上昇による光学特性の低下を回避することができる。また、コントロール回路や補正回路などによる複雑な仕様を必要としないため、簡潔な装置構成とすることができる。
【００２１】
＜実施例＞
続いて、本発明に係る表示装置の実施例として、表示装置の構成についてシミュレーションにより検討した結果を説明する。
本検討においては、まず、緑色に対応する画素に設けられた第２カラーフィルタ１７ｂに対する第３蛍光体からの青色光の混入と、同じく第２カラーフィルタ１７ｂに対する第１蛍光体からの赤色光の混入と、及び第２蛍光体における緑色蛍光体の発光スペクトルとによって、表示装置全体としての出力光に関する緑色色度点を規定する。続いて、赤色に対応する画素に設けられた第１カラーフィルタ１７ａに対する第２蛍光体部８ｂからの緑色光の混入と第１蛍光体における赤色蛍光体の発光スペクトルによって、表示装置全体としての出力光に関する赤色色度点を規定する。
このようにして得た緑色色度点と赤色色度点が、色度座標（所謂x,y色度座標）においてｘ軸成分及びｙ軸成分の少なくとも一方について（ｘ＝０．３００，ｙ＝０．６００）以上となる点のみを通る仮想直線により結ばれる装置構成を厳密に選定するため、検討を行った。
【００２２】
具体的には、青色蛍光体の発光スペクトル形状と、緑色カラーフィルタの透過スペクトル形状と、赤色カラーフィルタの透過スペクトル形状と、白色光源（ＣＣＦＬ）の白色色度の４つをそれぞれ複数の段階に変化させてシミュレーションを行い、（つまりパラメータ（変数）として）緑色色度点を得て、特に優れた（例えば前述のｓＲＧＢ規格にも対応可能な）光学特性を有する装置構成について検討を行った。
【００２３】
ここで、青色蛍光体の発光スペクトルは、８段階に変化させてシミュレーションを行った。手法は、基準となる青色蛍光体の発光スペクトルを設定し、蛍光体の組成比を変化させて３ｎｍずつ低波長側にシフトさせた。対応するスペクトルを図６に示す。図６において、シフト前のスペクトル（図中ａ）とシフト後のスペクトル（図中ａ´´）との波長差は、２１ｎｍである。なお、段階的に変化させた例として、中間的なスペクトル（図中ａ´）を模式的に示す。
本検討においては、このようにシフト前のスペクトル（図中ａ）から短波長側へ向ってスペクトルを段階的にシフトさせ、各スペクトルに関して、緑色の色度に影響する比較的長波長側の波長帯の発光強度（PL intensity）を、例えば４７５ｎｍ（図中Ｗ１）及び５００ｎｍ（図中Ｗ２）について各スペクトルの最大発光強度（図中Ｐ１）との比率で得、この比率が特定の緑色の色度の形成に対して適した値となるかについて、検討を行った。
また、このシミュレーションにおいて、第１カラーフィルタと第２カラーフィルタの透過スペクトルは、それぞれ３段階に変化させた。手法は、基準となる緑色カラーフィルタの膜厚を設定し、膜厚を所定の値で変化させて対応する発光スペクトルを求めた。なお、膜厚の変更による透過スペクトルの変化は、ランベルト・ベールの法則に基づいて推定することができる。測定に用いた各カラーフィルタの、第２カラーフィルタの透過スペクトル（ｂ〜ｂ´´）を図７に、第１カラーフィルタの透過スペクトル（ｃ〜ｃ´´）を図８に、それぞれ示す。
白色光源は、青色，赤色，緑色の各蛍光体の混合によって白色を呈するものであるため、各色の配合比や蛍光体材料の変化によって白色色度も変化し、各色の発光スペクトルや色度点にも変化が生じてしまう。したがって測定は、以下の各実施例で後述するように、白色色度をもパラメータとして設定して行った。
【００２４】
なお、以下の各実施例において、各パラメータの範囲や間隔は必ずしも一定でなく、光学特性の測定も各数値範囲の中央の値についてのみ行ったが、これらの範囲や間隔は、表示装置における光学特性の傾向を把握する上で十分に狭く、各範囲の中ではその中央の値と略同様の傾向を示すと考えられる。
なお、以下の各実施例において、表示装置の作製にあたり、蛍光管は、ニトロセルロースを有機溶剤に溶解させた溶液に上記３色の蛍光体を混合しサスペンションを作製する。そしてこのサスペンションをガラス管に流し込み乾燥させ、励起ガス（水銀または希ガス）を封入し、電極を取り付けることにより行った。
【００２５】
＜第１実施例＞
第１実施例として、緑色蛍光体として前述の〔化８〕で示される組成による蛍光体を用い、赤色蛍光体として前述の〔化９〕で示される組成による蛍光体を用いた構成についての検討結果について説明する。
本実施例においては、0.2405≦x≦0.2830もしくは0.1802≦y≦0.2600の範囲でCCFLの発光スペクトルを変化させた。この範囲を更に(0.2405≦x＜0.2468, 0.1802≦y＜0.2148)、(0.2468≦x＜0.2588, 0.2148≦y＜0.2292)、(0.2588≦x＜0.2705, 0.2292≦y＜0.2420)、(0.2705≦x＜0.2830, 0.2420≦y＜0.2600)の４つに区分して、それぞれの範囲の中心の色度点になるように、計算によりＲ，Ｇ，Ｂの配合比を変えて後述する色度の計算を行い、それをもってその範囲の色度点とした。
【００２６】
なお、本実施例において、緑色カラーフィルタの透過スペクトルの形状は、波長４７５ｎｍ、５２５ｎｍ、６００ｎｍの３点における透過率で規定した。赤色カラーフィルタの透過スペクトルの形状は、５８０ｎｍ，６００ｎｍの２点における透過率で規定した。具体的には、緑色カラーフィルタの透過率が、４７５ｎｍにおいて３％〜１８％、５２５ｎｍにおいて６７％〜８３％、６００ｎｍにおいて７％〜３０％となる範囲でスペクトル形状を変化させた。また、赤色カラーフィルタの透過率が、５８０ｎｍにおいて８％〜３２％、６００ｎｍにおいて６２％〜８１％となる範囲でスペクトル形状を変化させた。
また、青色発光スペクトルの形状は、波長２点における発光強度を規定した。青色蛍光体の発光強度の最大値を１に規定し、波長２点における発光強度を示す。また、色度に影響を与える青色発光スペクトルは、長波長側の形状が緑色及び赤色に対応する出力光に影響を与えるので、長波長側のスペクトル形状を規定した。具体的には、４７５ｎｍにおける発光強度が０．２０〜０．５６、５００ｎｍにおける発光強度が０．０５〜０．１７０となる範囲でスペクトル形状を変化させた。
【００２７】
色度の計算は、例えば液晶ディスプレイ型の表示装置の場合、（蛍光体の発光スペクトル）×（カラーフィルタの透過スペクトル）によって基本的な色情報が得られ、これに等色関数をかける手法によって行う。
具体的には、前述したCCFLの設定した白色発光スペクトルと緑色カラーフィルタの透過スペクトルを掛け算し、さらに等色関数から色度点を計算により算出した。等色関数とは光の波長毎に赤・緑・青の刺激をどれくらい感じるか実験によって求めた値である。等色関数は、x(λ) 関数、y(λ）関数、z(λ) 関数の3つの関数で構成されている。x(λ) 関数は、各波長による赤みと感じる度合いを表し、同様に y(λ) ・z(λ) 関数は、各波長における青み・緑みと感じる度合いを表している。具体的な計算式を、〔数１〕〜〔数５〕に示す。
〔数１〕
Ｘ＝ｋ∫ｖｉｓφ（λ）・ｘ０（λ）ｄλ
〔数２〕
Ｙ＝ｋ∫ｖｉｓφ（λ）・ｙ０（λ）ｄλ
〔数３〕
Ｚ＝ｋ∫ｖｉｓφ（λ）・ｚ０（λ）ｄλ
〔数４〕
ｘ＝Ｘ／（Ｘ＋Ｙ＋Ｚ）
〔数５〕
ｙ＝Ｙ／（Ｘ＋Ｙ＋Ｚ）
【００２８】
この手法により、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標（図９に示した座標）のｘ軸成分及びｙ軸成分の少なくとも一方について（０．３００，０．６００）以上となる点のみを通るかを検討した。色度座標のｘ軸成分及びｙ軸成分の少なくとも一方について（０．３００，０．６００）以上となる点のみを通る装置構成を○、色度座標のｘ軸成分及びｙ軸成分の少なくとも一方について（０．３００，０．６００）以上となる点以外も通る（つまりｘ軸成分及びｙ軸成分の両方について（０．３００，０．６００）を下回る点を通る）装置構成を×として整理して、以下の各表に示すような結果を得た。
【００２９】
【表１】
2007212900.tif 000003
【表２】
2007212900.tif 000004
【表３】
2007212900.tif 000005
【表４】
2007212900.tif 000006
【表５】
2007212900.tif 000007
【表６】
2007212900.tif 000008
【表７】
2007212900.tif 000009
【表８】
2007212900.tif 000010
【表９】
2007212900.tif 000011
【表１０】
2007212900.tif 000012
【表１１】
2007212900.tif 000013
【表１２】
2007212900.tif 000014
【表１３】
2007212900.tif 000015
【表１４】
2007212900.tif 000016
【表１５】
2007212900.tif 000017
【表１６】
2007212900.tif 000018
【表１７】
2007212900.tif 000019
【表１８】
2007212900.tif 000020
【表１９】
2007212900.tif 000021
【表２０】
2007212900.tif 000022
【表２１】
2007212900.tif 000023
【表２２】
2007212900.tif 000024
【表２３】
2007212900.tif 000025
【表２４】
2007212900.tif 000026
【表２５】
2007212900.tif 000027
【表２６】
2007212900.tif 000028
【表２７】
2007212900.tif 000029
【表２８】
2007212900.tif 000030
【００３０】
なお、〔表１〕、〔表８〕、〔表１５〕、〔表２２〕のシミュレーションは、赤色カラーフィルタの透過率が、波長５８０ｎｍで２７％以上３２％以下かつ波長６００ｎｍで７８％以上８１％以下となる範囲で行った。
また、〔表２〕、〔表９〕、〔表１６〕、〔表２３〕のシミュレーションは、赤色カラーフィルタの透過率が、波長５８０ｎｍで２２％以上２７％以下かつ波長６００ｎｍで７５％以上７８％以下となる範囲で行った。
また、〔表３〕、〔表１０〕、〔表１７〕、〔表２４〕のシミュレーションは、赤色カラーフィルタの透過率が、波長５８０ｎｍで１８％以上２２％以下かつ波長６００ｎｍで７２％以上７５％以下となる範囲で行った。
また、〔表４〕、〔表１１〕、〔表１８〕、〔表２５〕のシミュレーションは、赤色カラーフィルタの透過率が、波長５８０ｎｍで１５％以上１８％以下かつ波長６００ｎｍで６９％以上７２％以下となる範囲で行った。
また、〔表５〕、〔表１２〕、〔表１９〕、〔表２６〕のシミュレーションは、赤色カラーフィルタの透過率が、波長５８０ｎｍで１３％以上１５％以下かつ波長６００ｎｍで６６％以上６９％以下となる範囲で行った。
また、〔表６〕、〔表１３〕、〔表２０〕、〔表２７〕のシミュレーションは、赤色カラーフィルタの透過率が、波長５８０ｎｍで１０％以上１３％以下かつ波長６００ｎｍで６４％以上６６％以下となる範囲で行った。
また、〔表７〕、〔表１４〕、〔表２１〕、〔表２８〕のシミュレーションは、赤色カラーフィルタの透過率が、波長５８０ｎｍで８％以上１０％以下かつ波長６００ｎｍで６２％以上６４％以下となる範囲で行った。
一方、白色光源の白色色度については、〔表１〕〜〔表７〕では（0.2405≦x＜0.2468, 0.1802≦y＜0.2148)、〔表８〕〜〔表１４〕では(0.2468≦x＜0.2588, 0.2148≦y＜0.2292)、〔表１５〕〜〔表２１〕では(0.2588≦x＜0.2705, 0.2292≦y＜0.2420)、〔表２２〕〜〔表２８〕では(0.2705≦x＜0.2830, 0.2420≦y＜0.2600)とし、各色度範囲中の中心色度点をシミュレーションに用いた。
これらの結果より、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標のｘ軸成分及びｙ軸成分の少なくとも一方について（０．３００，０．６００）以上となる点のみを通る装置構成を選定することが可能となった。
【００３１】
なお、上述の各表で○とされた装置構成はいずれも好ましいと考えられるが、特に好ましい構成として、白色色度が(0.2405≦x＜0.2468, 0.1802≦y＜0.2148)の範囲に対応するものが挙げられる。これは、ＣＣＦＬ単体の白色色度として、特に好適な範囲となるためである。
すなわち、まず、少なくとも、白色光源の白色色度が色度座標において（０．２４０５≦ｘ＜０．２４６８，０．１８０２≦ｙ＜０．２１４８）であり、緑色カラーフィルタの透過率が、波長４７５ｎｍにおいて３％以上１１％以下であり、かつ波長５２５ｎｍにおいて６７％以上８０％以下であり、かつ波長６００ｎｍにおいて７％以上２２％以下であり、赤色カラーフィルタの透過率が、波長５８０ｎｍにおいて８％以上３２％以下であり、かつ波長６００ｎｍにおいて６２％以上８１％以下であり、青色蛍光体の発光強度が、該青色蛍光体の最大発光強度に比して、波長４７５ｎｍにおいて２０％以上３０％以下であり、かつ波長５００ｎｍにおいて５％以上８．４％以下である構成によれば、特定の緑色色度点に対応する光を得ることが可能であることが確認できた。
また、少なくとも、白色光源の白色色度が色度座標において（０．２４０５≦ｘ＜０．２４６８，０．１８０２≦ｙ＜０．２１４８）であり、緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、赤色カラーフィルタの透過率が、波長５８０ｎｍにおいて８％以上３２％以下であり、かつ波長６００ｎｍにおいて６２％以上８１％以下であり、青色蛍光体の発光強度が、該青色蛍光体の最大発光強度に比して、波長４７５ｎｍにおいて２０％以上４１％以下であり、かつ波長５００ｎｍにおいて５％以上１１．８％以下である構成によれば、特定の緑色色度点に対応する光を得ることが可能であることが確認できた。
また、少なくとも、白色光源の白色色度が色度座標において（０．２４０５≦ｘ＜０．２４６８，０．１８０２≦ｙ＜０．２１４８）であり、緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、赤色カラーフィルタの透過率が、波長５８０ｎｍにおいて８％以上３２％以下であり、かつ波長６００ｎｍにおいて６２％以上８１％以下であり、青色蛍光体の発光強度が、該青色蛍光体の最大発光強度に比して、波長４７５ｎｍにおいて２０％以上５１％以下であり、かつ波長５００ｎｍにおいて５％以上１５．２％以下である構成によれば、特定の緑色色度点に対応する光を得ることが可能であることが確認できた。
【００３２】
＜第２実施例＞
第２実施例として、緑色蛍光体として前述の〔化８〕で示される組成による蛍光体を用い、赤色蛍光体として前述の〔化１０〕で示される組成による蛍光体を用いた構成についての検討結果について説明する。
本実施例においては、0.2304≦x≦0.2892もしくは0.1805≦y≦0.2699の範囲でCCFLの発光スペクトルを変化させた。この範囲を更に、(0.2304≦x＜0.2522),(0.1805≦y＜0.2143)、(0.2522≦x＜0.2603),(0.2143≦y＜0.2357)、(0.2603≦x＜0.2727),(0.2357≦y＜0.2548)、(0.2705≦x＜0.2830),(0.2548≦y＜0.2699)、の４つに区分して、それぞれの範囲の中心の色度点になるように、計算によりＲ，Ｇ，Ｂの配合比を変え計算を行い、それをもってその範囲の色度点とした。
【００３３】
なお、本実施例において、緑色カラーフィルタの透過スペクトルの形状の変化、青色発光スペクトルの形状の変化、前述した第１実施例と同様である。
第１実施例と同様に色度計算を行い、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標のｘ軸成分及びｙ軸成分の少なくとも一方について（０．３００，０．６００）以上となる点のみを通るかを検討し、色度座標のｘ軸成分及びｙ軸成分の少なくとも一方について（０．３００，０．６００）以上となる点のみを通る装置構成を○、色度座標のｘ軸成分及びｙ軸成分の少なくとも一方について（０．３００，０．６００）以上となる点以外も通る装置構成を×として整理して、以下の各表に示すような結果を得た。
【００３４】
【表２９】
2007212900.tif 000031
【表３０】
2007212900.tif 000032
【表３１】
2007212900.tif 000033
【表３２】
2007212900.tif 000034
【表３３】
2007212900.tif 000035
【表３４】
2007212900.tif 000036
【表３５】
2007212900.tif 000037
【表３６】
2007212900.tif 000038
【表３７】
2007212900.tif 000039
【表３８】
2007212900.tif 000040
【表３９】
2007212900.tif 000041
【表４０】
2007212900.tif 000042
【表４１】
2007212900.tif 000043
【表４２】
2007212900.tif 000044
【表４３】
2007212900.tif 000045
【表４４】
2007212900.tif 000046
【表４５】
2007212900.tif 000047
【表４６】
2007212900.tif 000048
【表４７】
2007212900.tif 000049
【表４８】
2007212900.tif 000050
【表４９】
2007212900.tif 000051
【表５０】
2007212900.tif 000052
【表５１】
2007212900.tif 000053
【表５２】
2007212900.tif 000054
【表５３】
2007212900.tif 000055
【表５４】
2007212900.tif 000056
【表５５】
2007212900.tif 000057
【表５６】
2007212900.tif 000058
【００３５】
なお、〔表２９〕、〔表３６〕、〔表４３〕、〔表５０〕のシミュレーションは、赤色カラーフィルタの透過率が、波長５８０ｎｍで２７％以上３２％以下かつ波長６００ｎｍで７８％以上８１％以下となる範囲で行った。
また、〔表３０〕、〔表３７〕、〔表４４〕、〔表５１〕のシミュレーションは、赤色カラーフィルタの透過率が、波長５８０ｎｍで２２％以上２７％以下かつ波長６００ｎｍで７５％以上７８％以下となる範囲で行った。
また、〔表３１〕、〔表３８〕、〔表４５〕、〔表５２〕のシミュレーションは、赤色カラーフィルタの透過率が、波長５８０ｎｍで１８％以上２２％以下かつ波長６００ｎｍで７２％以上７５％以下となる範囲で行った。
また、〔表３２〕、〔表３９〕、〔表４６〕、〔表５３〕のシミュレーションは、赤色カラーフィルタの透過率が、波長５８０ｎｍで１５％以上１８％以下かつ波長６００ｎｍで６９％以上７２％以下となる範囲で行った。
また、〔表３３〕、〔表４０〕、〔表４７〕、〔表５４〕のシミュレーションは、赤色カラーフィルタの透過率が、波長５８０ｎｍで１３％以上１５％以下かつ波長６００ｎｍで６６％以上６９％以下となる範囲で行った。
また、〔表３４〕、〔表４１〕、〔表４８〕、〔表５５〕のシミュレーションは、赤色カラーフィルタの透過率が、波長５８０ｎｍで１０％以上１３％以下かつ波長６００ｎｍで６４％以上６６％以下となる範囲で行った。
また、〔表３５〕、〔表４２〕、〔表４９〕、〔表５６〕のシミュレーションは、赤色カラーフィルタの透過率が、波長５８０ｎｍで８％以上１０％以下かつ波長６００ｎｍで６２％以上６４％以下となる範囲で行った。
一方、白色光源の白色色度については、〔表２９〕〜〔表３５〕では(0.2304≦x＜0.2522),(0.1805≦y＜0.2143)、〔表３６〕〜〔表４２〕では(0.2522≦x＜0.2603),(0.2143≦y＜0.2357)、〔表４３〕〜〔表４９〕では(0.2603≦x＜0.2727),(0.2357≦y＜0.2548)、〔表５０〕〜〔表５６〕では(0.2705≦x＜0.2830),(0.2548≦y＜0.2699)とし、各色度範囲中の中心色度点をシミュレーションに用いた。
これらの結果より、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標のｘ軸成分及びｙ軸成分の少なくとも一方について（０．３００，０．６００）以上となる点のみを通る装置構成を選定することが可能となった。
【００３６】
なお、上述の各表で○とされた装置構成はいずれも好ましいと考えられるが、特に好ましい構成として、白色色度が(0.2304≦x＜0.2522),(0.1805≦y＜0.2143)の範囲に対応するものが挙げられる。これは、ＣＣＦＬ単体の白色色度として、特に好適な範囲となるためである。
すなわち、少なくとも、まず、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上６．５％以下であり、かつ波長５２５ｎｍにおいて６７％以上７６％以下であり、かつ波長６００ｎｍにおいて７％以上１４％以下であり、赤色カラーフィルタの透過率が、波長５８０ｎｍにおいて１８％以上３２％以下であり、かつ波長６００ｎｍにおいて７２％以上８１％以下であり、青色蛍光体の発光強度が、青色蛍光体の最大発光強度に比して、波長４７５ｎｍにおいて２０％以上３０％以下であり、かつ波長５００ｎｍにおいて５％以上８．４％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、赤色カラーフィルタの透過率が、波長５８０ｎｍにおいて１８％以上３２％以下であり、かつ波長６００ｎｍにおいて７２％以上８１％以下であり、青色蛍光体の発光強度が、青色蛍光体の最大発光強度に比して、波長４７５ｎｍにおいて３０％以上３５％以下であり、かつ波長５００ｎｍにおいて８．４％以上１０．１％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、赤色カラーフィルタの透過率が、波長５８０ｎｍにおいて１８％以上３２％以下であり、かつ波長６００ｎｍにおいて７２％以上８１％以下であり、青色蛍光体の発光強度が、青色蛍光体の最大発光強度に比して、波長４７５ｎｍにおいて３０％以上４１％以下であり、かつ波長５００ｎｍにおいて１０．１％以上１１．８％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上８％以下であり、かつ波長５２５ｎｍにおいて６７％以上７８％以下であり、かつ波長６００ｎｍにおいて７％以上１７％以下であり、赤色カラーフィルタの透過率が、波長５８０ｎｍにおいて１３％以上１８％以下であり、かつ波長６００ｎｍにおいて６６％以上７２％以下であり、青色蛍光体の発光強度が、青色蛍光体の最大発光強度に比して、波長４７５ｎｍにおいて２０％以上２５％以下であり、かつ波長５００ｎｍにおいて５％以上６．７％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上６．５％以下であり、かつ波長５２５ｎｍにおいて６７％以上７６％以下であり、かつ波長６００ｎｍにおいて７％以上１４％以下であり、赤色カラーフィルタの透過率が、波長５８０ｎｍにおいて１３％以上１８％以下であり、かつ波長６００ｎｍにおいて６６％以上７２％以下であり、青色蛍光体の発光強度が、青色蛍光体の最大発光強度に比して、波長４７５ｎｍにおいて２５％以上３０％以下であり、かつ波長５００ｎｍにおいて６．７％以上８．４％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、赤色カラーフィルタの透過率が、波長５８０ｎｍにおいて１３％以上１８％以下であり、かつ波長６００ｎｍにおいて６６％以上７２％以下であり、青色蛍光体の発光強度が、青色蛍光体の最大発光強度に比して、波長４７５ｎｍにおいて３０％以上４１％以下であり、かつ波長５００ｎｍにおいて８．４％以上１１．８％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、赤色カラーフィルタの透過率が、波長５８０ｎｍにおいて１３％以上１８％以下であり、かつ波長６００ｎｍにおいて６６％以上７２％以下であり、青色蛍光体の発光強度が、青色蛍光体の最大発光強度に比して、波長４７５ｎｍにおいて４１％以上４６％以下であり、かつ波長５００ｎｍにおいて１１．８％以上１３．５％以下である構成によれば、特定の緑色色度点に対応する光を得ることが可能であることが確認できた。
また、少なくとも、白色光源の白色色度が、上記色度座標において（０．２３０４≦ｘ＜０．２５２２，０．１８０５≦ｙ＜０．２１４３）であり、緑色カラーフィルタの透過率が、波長４７５ｎｍにおいて３％以上１６％以下であり、かつ波長５２５ｎｍにおいて６７％以上８１．５％以下であり、かつ波長６００ｎｍにおいて７％以上２６％以下であり、赤色カラーフィルタの透過率が、波長５８０ｎｍにおいて８％以上１３％以下であり、かつ波長６００ｎｍにおいて６２％以上６６％以下であり、青色蛍光体の発光強度が、青色蛍光体の最大発光強度に比して、波長４７５ｎｍにおいて２０％以上２５％以下であり、かつ波長５００ｎｍにおいて５％以上６．７％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上１１％以下であり、かつ波長５２５ｎｍにおいて６７％以上８０％以下であり、かつ波長６００ｎｍにおいて７％以上２２％以下であり、赤色カラーフィルタの透過率が、波長５８０ｎｍにおいて８％以上１３％以下であり、かつ波長６００ｎｍにおいて６２％以上６６％以下であり、青色蛍光体の発光強度が、青色蛍光体の最大発光強度に比して、波長４７５ｎｍにおいて２０％以上３０％以下であり、かつ波長５００ｎｍにおいて６．７％以上８．４％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上６．５％以下であり、かつ波長５２５ｎｍにおいて６７％以上７６％以下であり、かつ波長６００ｎｍにおいて７％以上１４％以下であり、赤色カラーフィルタの透過率が、波長５８０ｎｍにおいて８％以上１３％以下であり、かつ波長６００ｎｍにおいて６２％以上６６％以下であり、青色蛍光体の発光強度が、青色蛍光体の最大発光強度に比して、波長４７５ｎｍにおいて３０％以上３５％以下であり、かつ波長５００ｎｍにおいて８．４％以上１０．１％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上５．５％以下であり、かつ波長５２５ｎｍにおいて６７％以上７３％以下であり、かつ波長６００ｎｍにおいて７％以上１１％以下であり、赤色カラーフィルタの透過率が、波長５８０ｎｍにおいて８％以上１３％以下であり、かつ波長６００ｎｍにおいて６２％以上６６％以下であり、青色蛍光体の発光強度が、青色蛍光体の最大発光強度に比して、波長４７５ｎｍにおいて３５％以上４１％以下であり、かつ波長５００ｎｍにおいて１０．１％以上１１．８％以下である構成によれば、特定の緑色色度点に対応する光を得ることが可能であることが確認できた。
また、少なくとも、白色光源の白色色度が色度座標において（０．２３０４≦ｘ＜０．２５２２，０．１８０５≦ｙ＜０．２１４３）であり、緑色カラーフィルタの透過率が、波長４７５ｎｍにおいて３％以上４％以下であり、かつ波長５２５ｎｍにおいて６７％以上７０％以下であり、かつ波長６００ｎｍにおいて７％以上９％以下であり、赤色カラーフィルタの透過率が、波長５８０ｎｍにおいて８％以上１３％以下であり、かつ波長６００ｎｍにおいて６２％以上６６％以下であり、青色蛍光体の発光強度が、青色蛍光体の最大発光強度に比して、波長４７５ｎｍにおいて４１％以上４６％以下であり、かつ波長５００ｎｍにおいて１１．８％以上１３．５％以下である構成によれば、特定の緑色色度点に対応する光を得ることが可能であることが確認できた。
【００３７】
＜第３実施例＞
第３実施例として、緑色蛍光体として前述の〔化８〕で示される組成による蛍光体を用い、赤色蛍光体として前述の〔化９〕で示される組成による蛍光体を用いた構成についての検討結果について説明する。
本実施例においては、0.2405≦x≦0.2830もしくは0.1802≦y≦0.2600の範囲でCCFLの発光スペクトルを変化させた。この範囲を更に、(0.2405≦x＜0.2468, 0.2148≦y＜0.2292)、(0.2468≦x＜0.2588, 0.2292≦y＜0.2420)、(0.2588≦x＜0.2705, 0.2420≦y＜0.2600)の
の３つに区分して、それぞれの範囲の中心の色度点になるように、計算によりＲ，Ｇ，Ｂの配合比を変え計算を行い、それをもってその範囲の色度点とした。
【００３８】
なお、本実施例において、緑色カラーフィルタの透過スペクトルの形状の変化、青色発光スペクトルの形状の変化、前述した第１実施例と同様である。
第１実施例と同様に色度計算を行い、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標のｘ軸成分及びｙ軸成分の少なくとも一方について（０．３００，０．６００）以上となる点のみを通るかを検討し、色度座標のｘ軸成分及びｙ軸成分の少なくとも一方について（０．３００，０．６００）以上となる点のみを通る装置構成を○、色度座標のｘ軸成分及びｙ軸成分の少なくとも一方について（０．３００，０．６００）以上となる点以外も通る装置構成を×として整理して、以下の各表に示すような結果を得た。
【００３９】
【表５７】
2007212900.tif 000059
【表５８】
2007212900.tif 000060
【表５９】
2007212900.tif 000061
【表６０】
2007212900.tif 000062
【表６１】
2007212900.tif 000063
【表６２】
2007212900.tif 000064
【表６３】
2007212900.tif 000065
【表６４】
2007212900.tif 000066
【表６５】
2007212900.tif 000067
【表６６】
2007212900.tif 000068
【表６７】
2007212900.tif 000069
【表６８】
2007212900.tif 000070
【表６９】
2007212900.tif 000071
【表７０】
2007212900.tif 000072
【表７１】
2007212900.tif 000073
【表７２】
2007212900.tif 000074
【表７３】
2007212900.tif 000075
【表７４】
2007212900.tif 000076
【表７５】
2007212900.tif 000077
【表７６】
2007212900.tif 000078
【表７７】
2007212900.tif 000079
【００４０】
なお、〔表５７〕、〔表６４〕、〔表７１〕のシミュレーションは、赤色カラーフィルタの透過率が、波長５８０ｎｍで２７％以上３２％以下かつ波長６００ｎｍで７８％以上８１％以下となる範囲で行った。
また、〔表５８〕、〔表６５〕、〔表７２〕のシミュレーションは、赤色カラーフィルタの透過率が、波長５８０ｎｍで２２％以上２７％以下かつ波長６００ｎｍで７５％以上７８％以下となる範囲で行った。
また、〔表５９〕、〔表６６〕、〔表７３〕のシミュレーションは、赤色カラーフィルタの透過率が、波長５８０ｎｍで１８％以上２２％以下かつ波長６００ｎｍで７２％以上７５％以下となる範囲で行った。
また、〔表６０〕、〔表６７〕、〔表７４〕のシミュレーションは、赤色カラーフィルタの透過率が、波長５８０ｎｍで１５％以上１８％以下かつ波長６００ｎｍで６９％以上７２％以下となる範囲で行った。
また、〔表６１〕、〔表６８〕、〔表７５〕のシミュレーションは、赤色カラーフィルタの透過率が、波長５８０ｎｍで１３％以上１５％以下かつ波長６００ｎｍで６６％以上６９％以下となる範囲で行った。
また、〔表６２〕、〔表６９〕、〔表７６〕のシミュレーションは、赤色カラーフィルタの透過率が、波長５８０ｎｍで１０％以上１３％以下かつ波長６００ｎｍで６４％以上６６％以下となる範囲で行った。
また、〔表６３〕、〔表７０〕、〔表７７〕のシミュレーションは、赤色カラーフィルタの透過率が、波長５８０ｎｍで８％以上１０％以下かつ波長６００ｎｍで６２％以上６４％以下となる範囲で行った。
これらの結果より、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標のｘ軸成分及びｙ軸成分の少なくとも一方について（０．３００，０．６００）以上となる点のみを通る装置構成を選定することが可能となった。
【００４１】
＜第４実施例＞
第４実施例として、緑色蛍光体として前述の〔化８〕で示される組成による蛍光体を用い、赤色蛍光体として前述の〔化１０〕で示される組成による蛍光体を用いた構成についての検討結果について説明する。
本実施例においては、0.2304≦x≦0.2892もしくは0.1805≦y≦0.2699の範囲でCCFLの発光スペクトルを変化させた。この範囲を更に、(0.2304≦x＜0.2522),(0.2143≦y＜0.2357)、(0.2522≦x＜0.2603),(0.2357≦y＜0.2548)、(0.2603≦x＜0.2727),(0.2548≦y＜0.2699)の３つに区分して、それぞれの範囲の中心の色度点になるように、計算によりＲ，Ｇ，Ｂの配合比を変え計算を行い、それをもってその範囲の色度点とした。
【００４２】
なお、本実施例において、緑色カラーフィルタの透過スペクトルの形状の変化、青色発光スペクトルの形状の変化、前述した第１実施例と同様である。
第１実施例と同様に色度計算を行い、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標のｘ軸成分及びｙ軸成分の少なくとも一方について（０．３００，０．６００）以上となる点のみを通るかを検討し、色度座標のｘ軸成分及びｙ軸成分の少なくとも一方について（０．３００，０．６００）以上となる点のみを通る装置構成を○、色度座標のｘ軸成分及びｙ軸成分の少なくとも一方について（０．３００，０．６００）以上となる点以外も通る装置構成を×として整理して、以下の各表に示すような結果を得た。
【００４３】
【表７８】
2007212900.tif 000080
【表７９】
2007212900.tif 000081
【表８０】
2007212900.tif 000082
【表８１】
2007212900.tif 000083
【表８２】
2007212900.tif 000084
【表８３】
2007212900.tif 000085
【表８４】
2007212900.tif 000086
【表８５】
2007212900.tif 000087
【表８６】
2007212900.tif 000088
【表８７】
2007212900.tif 000089
【表８８】
2007212900.tif 000090
【表８９】
2007212900.tif 000091
【表９０】
2007212900.tif 000092
【表９１】
2007212900.tif 000093
【表９２】
2007212900.tif 000094
【表９３】
2007212900.tif 000095
【表９４】
2007212900.tif 000096
【表９５】
2007212900.tif 000097
【表９６】
2007212900.tif 000098
【表９７】
2007212900.tif 000099
【表９８】
2007212900.tif 000100
【００４４】
なお、〔表７８〕、〔表８５〕、〔表９２〕のシミュレーションは、赤色カラーフィルタの透過率が、波長５８０ｎｍで２７％以上３２％以下かつ波長６００ｎｍで７８％以上８１％以下となる範囲で行った。
また、〔表７９〕、〔表８６〕、〔表９３〕のシミュレーションは、赤色カラーフィルタの透過率が、波長５８０ｎｍで２２％以上２７％以下かつ波長６００ｎｍで７５％以上７８％以下となる範囲で行った。
また、〔表８０〕、〔表８７〕、〔表９４〕のシミュレーションは、赤色カラーフィルタの透過率が、波長５８０ｎｍで１８％以上２２％以下かつ波長６００ｎｍで７２％以上７５％以下となる範囲で行った。
また、〔表８１〕、〔表８８〕、〔表９５〕のシミュレーションは、赤色カラーフィルタの透過率が、波長５８０ｎｍで１５％以上１８％以下かつ波長６００ｎｍで６９％以上７２％以下となる範囲で行った。
また、〔表８２〕、〔表８９〕、〔表９６〕のシミュレーションは、赤色カラーフィルタの透過率が、波長５８０ｎｍで１３％以上１５％以下かつ波長６００ｎｍで６６％以上６９％以下となる範囲で行った。
また、〔表８３〕、〔表９０〕、〔表９７〕のシミュレーションは、赤色カラーフィルタの透過率が、波長５８０ｎｍで１０％以上１３％以下かつ波長６００ｎｍで６４％以上６６％以下となる範囲で行った。
また、〔表８４〕、〔表９１〕、〔表９８〕のシミュレーションは、赤色カラーフィルタの透過率が、波長５８０ｎｍで８％以上１０％以下かつ波長６００ｎｍで６２％以上６４％以下となる範囲で行った。
これらの結果より、赤色及び緑色について色度点（ｘＲ，ｙＲ）及び（ｘＧ，ｙＧ）を算出し、（ｘＲ，ｙＲ）及び（ｘＧ，ｙＧ）を結ぶ仮想直線が、色度座標のｘ軸成分及びｙ軸成分の少なくとも一方について（０．３００，０．６００）以上となる点のみを通る装置構成を選定することが可能となった。
【００４５】
＜第５実施例＞
図１に示した構成による表示装置１の一例として、白色光源を色度  （０．２４５，０．１９０）のＣＣＦＬとし、赤色蛍光体として前述した〔化９〕で示される組成を有するものを用い、第２カラーフィルタを透過特性（４７５ｎｍ  ７．８％，５２５ｎｍ  ７７％，６００ｎｍ  １６％）の緑色カラーフィルタとし、第１カラーフィルタを透過特性（５８０ｎｍ  １９％，６００ｎｍ  ７２％）の赤色カラーフィルタとし、青色蛍光体として後述する〔化１３〕に示される組成を有する もの（４７５ｎｍ  ０．２４９，５００ｎｍ  ０．０５０)を用いて、表示装置からの出力光に関し、緑色色度点と赤色色度点の測定を行った。
実測した色度に関して、緑色色度点は（０．２１２，０．６７３）、赤色色度点は（０．６５８，０．３２６）であった。色度座標上でこの２つの色度点を結ぶと、ｘ軸成分及びｙ軸成分の少なくとも一方について、ｓＲＧＢ規格の緑色色度点（０．３００，０．６００）以上となる点のみを通ることが確認できた。この結果は、〔表３〕に示したシミュレーション結果とも一致している。
【００４６】
なお、本実施例に対する比較例として、白色光源を色度  （０．２４２，０．２００）のＣＣＦＬとし、赤色蛍光体として前述した〔化１０〕に示される組成を有するものを用い、第２カラーフィルタを透過特性（４７５ｎｍ  ７．８％，５２５ｎｍ  ７７％，６００ｎｍ  １６％）の緑色カラーフィルタとし、第２カラーフィルタを透過特性（５８０ｎｍ  １９％，６００ｎｍ  ７１％）の赤色カラーフィルタとし、青色蛍光体として前述した〔化８〕で示される組成を有するもの （４７５ｎｍ  ０．５６，５００ｎｍ  １．７０）を用い、表示装置からの出力光に関し、緑色色度点と赤色色度点の測定を行ったところ、実測色度として、緑色色度点が（０．１８８，０．６５１）、赤色色度点が（０．６６８，  ０．３１６）であり、この２点を色度座標上で結んだ直線は、ｓＲＧＢ規格の緑色色度点（０．３００，０．６００）に比してｘ軸成分及びｙ軸成分のいずれについても低い点を通ることが確認できた。この結果は、〔表３１〕に示したシミュレーション結果とも一致する。
【００４７】
以上の実施の形態及び実施例で説明したように、本発明に係る表示装置によれば、十分な輝度を維持しながらも、所定の（例えばｓＲＧＢ規格で定められた）色度点に対応可能な色再現性を得ることが可能となる。例えば、ＣＣＦＬを使用したバックライトシステムによる表示装置において、液晶層を有する光学装置との兼ね合いによって色再現範囲を低下することなく、白色輝度を増大させることが可能となる。
【００４８】
なお、以上の実施の形態の説明で挙げた使用材料及びその量、処理時間及び寸法などの数値的条件は好適例に過ぎず、説明に用いた各図における寸法形状及び配置関係も概略的なものである。すなわち、本発明は、この実施の形態に限られるものではなく、種々の変形及び変更をなされうる。
例えば、前述の実施形態では、基準となる青色蛍光体として〔化１２〕で示される組成による蛍光体（所謂BAM:Eu）を用いた例を説明したが、他の青色蛍光体として、〔化１３〕〜〔化１９〕で示される組成による蛍光体を少なくとも１つ用いて本発明に係る表示装置を構成することも可能である。なお、この青色蛍光体の選定においては、前述したように、発光中心波長及びスペクトル形状（発光強度分布；特に裾部に関して）と、各カラーフィルタの透過率や白色光源の白色色度とに基づいて厳密に選定することが好ましい。
〔化１３〕
Ｓｒ５（ＰＯ４）３Ｃｌ：Ｅｕ
〔化１４〕
（Ｓｒ，Ｃａ，Ｂａ）５（ＰＯ４）３Ｃｌ：Ｅｕ
〔化１５〕
Ｓｒ２Ｏ２Ｏ７：Ｅｕ
〔化１６〕
ＳｒＭｇＯ２Ｏ７：Ｅｕ
〔化１７〕
Ｂａ３ＭｇＳｉ２Ｏ８：Ｅｕ
〔化１８〕
（Ｓｒ，Ｂａ）Ａｌ２Ｓｉ２Ｏ８：Ｅｕ
〔化１９〕
ＳｒＭｇＡｌ１０Ｏ１７：Ｅｕ
【図面の簡単な説明】
【００４９】
【図１】本発明に係る表示装置の一例の構成を示す概略構成図である。
【図２】本発明に係る表示装置の一例の説明に供する、蛍光体の一例の発光スペクトルを示す模式図である。
【図３】本発明に係る表示装置の一例の説明に供する、蛍光体の他の例の発光スペクトルを示す模式図である。
【図４】本発明に係る表示装置の一例の説明に供する、蛍光体の他の例の発光スペクトルを示す模式図である。
【図５】本発明に係る表示装置の一例の説明に供する、蛍光体の他の例の発光スペクトルを示す模式図である。
【図６】本発明に係る表示装置の一例の説明に供する、蛍光体の発光スペクトルの変化を示す模式図である。
【図７】本発明に係る表示装置の一例の説明に供する、蛍光体の発光スペクトルの変化を示す模式図である。
【図８】本発明に係る表示装置の一例の説明に供する、蛍光体の発光スペクトルの変化を示す模式図である。
【図９】色度座標の説明に供する模式図である。
【符号の説明】
【００５０】
１・・・表示装置、２・・・光源装置、３・・・光学装置、４・・・リフレクタ、５・・・リフレクタ、６・・・白色光源、７・・・導光部、９・・・拡散シート、１０・・・偏向板、１１・・・ＴＦＴガラス基板、１２・・・ドット電極、１３・・・液晶層、１４・・・配向膜、１５・・・電極、１６・・・ブラックマトリクス、１７ａ・・・第１カラーフィルタ、１７ｂ・・・第２カラーフィルタ、１７ｃ・・・第３カラーフィルタ、１８・・・ガラス基板、１９・・・偏向板
【図１】
2007212900.tif 000101
【図２】
2007212900.tif 000102
【図３】
2007212900.tif 000103
【図４】
2007212900.tif 000104
【図５】
2007212900.tif 000105
【図６】
2007212900.tif 000106
【図７】
2007212900.tif 000107
【図８】
2007212900.tif 000108
【図９】
2007212900.tif 000109